(57)【要約】【課題】ネットワークにおけるパス経路状態監視方法及び伝送装置に関し、伝送路断等が発生したときに、正常なパス区間と異常なパス区間を容易に特定し、予備ルートに自動的に切り替えることを可能にする。【解決手段】ネットワークを流れる各パスデータフレームにデータ収容帯域とは別に経路情報帯域を備え、パスを収容する両端の伝送装置（００１）及び（１００）は、経路情報帯域に自装置のアドレス情報を格納して送信する。該パスを中継する伝送装置（０００４等）は、パスが正常のとき経路情報帯域のアドレス情報をそのまま中継して送信し、伝送路の異常を検出したとき、該異常が検出された伝送路と反対方向の経路情報帯域に、自装置（０００４等）のアドレス情報を挿入して送信する。両端の伝送装置（００１）及び（１００）では、経路情報帯域から検出される途中経路の伝送装置のアドレス情報を基に正常なパス区間と異常なパス区間を特定する。【選択図】      図３−１
2006222718.tif 000002
【特許請求の範囲】
【請求項１】
複数の伝送路と複数の伝送装置とから構成され、複数の伝送路と複数の伝送装置とを経由するパスを形成するネットワークにおいて、
前記ネットワークを流れる伝送路フレーム内の各パスデータフレームは、パス単位にデータ収容帯域とは別に経路情報帯域を有し、
パスを収容する両端の伝送装置にて、前記経路情報帯域に自伝送装置のアドレス情報を格納してパスデータフレームを送信し、
該パスを中継する伝送装置は、パスの伝送路が正常状態のとき、受信したパスデータフレームの該経路情報帯域をそのまま中継して送信し、パスの伝送路の異常を検出したとき、該伝送路異常が検出された伝送路の方向と反対方向の伝送路の経路情報帯域に、自伝送装置のアドレス情報を挿入して送信し、
前記パス収容の両端の伝送装置にて、経路情報帯域に格納されているアドレス情報を抽出し、該アドレス情報が、パス経路の対向する両端の伝送装置のアドレス情報である場合に、パスは正常状態であることを認識し、該アドレス情報が、パス経路の対向する両端の伝送装置のアドレス情報でない場合に、該アドレス情報の伝送装置までのパス経路が正常状態で、該アドレス情報の伝送装置以降のパス経路は異常状態であることを認識することを特徴とするパス経路状態監視方法。
【請求項２】
前記経路情報帯域に、前記伝送装置アドレス情報と共に伝送路アドレス情報を格納し、パスを中継する伝送路装置にて伝送路の異常を検出した場合、該伝送路異常が検出された伝送路の方向と反対方向の伝送路の経路情報帯域に、自伝送装置のアドレス情報と共に、該異常を検出した伝送路のアドレス情報を格納して送信し、
前記パス収容の両端の伝送装置にて、経路情報帯域に格納されている伝送装置のアドレス情報及び伝送路のアドレス情報を抽出し、該アドレス情報が、パス経路の対向する両端の伝送装置のアドレス情報でない場合に、該アドレス情報の伝送装置及び伝送路までのパス経路が正常状態で、該アドレス情報の伝送装置の伝送路以降のパス経路は異常状態であることを認識することを特徴とする請求項１に記載のパス経路状態監視方法。
【請求項３】
前記複数の各伝送装置にて、パス毎に抽出した経路情報帯域のアドレス情報を監視し、各伝送装置に予め格納されているパスの正常時のアドレス情報と比較照合し、両者の不一致を検出したとき、該パスを中継する伝送装置にて該パスの伝送路の異常の発生を検出することを特徴とする請求項１に記載のパス経路状態監視方法。
【請求項４】
パスを中継する前記伝送装置において、パス毎にパス経路が複数存在し、予備ルートのパス経路情報を有するとき、パス毎に抽出した経路情報帯域のアドレス情報を監視し、予め格納されている正常時のアドレス情報と比較照合し、両者の不一致を検出したとき、予め格納されている予備ルートのパス経路にパス設定を切り替えることを特徴とする請求項３に記載のパス経路状態監視方法。
【請求項５】
パス毎に抽出した経路情報帯域のアドレス情報を監視し、予め設定されている、予備ルート切り戻しを指示する特定のアドレス情報と比較照合し、両者の一致を検出したとき、前記予備ルートのパス経路を通常ルートのパス経路に切り戻すことを特徴とする請求項４に記載のパス経路状態監視方法。
【請求項６】
複数の伝送路と複数の伝送装置とから構成されるネットワークにおいて、
前記伝送装置は、パス単位に各パスのデータ収容帯域とは別に経路情報帯域を、各伝送路の伝送路フレーム内にアサインする多重化部と、該経路情報帯域に自伝送装置のアドレス情報又は他の伝送装置から受信した他の伝送装置のアドレス情報の何れか一方を選択して挿入するデータ挿入／選択部と、他の伝送装置から経路情報帯域にて受信したアドレス情報を抽出するデータ抽出部と、該データ抽出部で抽出されたアドレス情報を、予め定められたパス経路の伝送路の正常時のアドレス情報と比較照合する監視制御部とを備え、
パス収容の両端の伝送装置のデータ挿入／選択部は、自伝送装置のアドレス情報を前記経路情報帯域に挿入して送信し、パスを中継する伝送装置のデータ挿入／選択部は、パスの伝送路が正常状態のとき、受信したパスデータフレームの該経路情報帯域をそのまま中継して送信し、パスの伝送路の異常を検出したとき、該伝送路異常が検出された伝送路の方向と反対方向の伝送路の経路情報帯域に、自伝送装置のアドレス情報を挿入して送信し、
前記パス収容の両端の伝送装置の監視制御部にて、経路情報帯域に格納されているアドレス情報が、パス経路の対向する両端の伝送装置のアドレス情報である場合に、パスは正常状態であることを認識し、該アドレス情報が、パス経路の対向する両端の伝送装置のアドレス情報でない場合に、該アドレス情報の伝送装置までのパス経路が正常状態で、該アドレス情報の伝送装置以降のパス経路は異常状態であることを認識することを特徴とする伝送装置。
【請求項７】
前記データ挿入／選択部は、前記経路情報帯域に、前記伝送装置アドレス情報と共に伝送路アドレス情報を格納し、自伝送装置において伝送路の異常が検出された場合、該伝送路異常が検出された伝送路の方向と反対方向の伝送路の経路情報帯域に、自伝送装置のアドレス情報と共に、該異常を検出した伝送路のアドレス情報を格納して送信し、前記パス収容の両端の伝送装置のデータ抽出部にて、前記経路情報帯域に格納されている伝送装置のアドレス情報及び伝送路のアドレス情報を抽出し、前記パス収容の両端の伝送装置の監視制御部は、該アドレス情報が、パス経路の対向する両端の伝送装置のアドレス情報でない場合に、該アドレス情報の伝送装置及び伝送路までのパス経路が正常状態で、該アドレス情報の伝送装置の伝送路以降のパス経路は異常状態であることを認識することを特徴とする請求項６に記載の伝送装置。
【請求項８】
パスを中継する前記伝送装置の監視制御部にて、パス毎に抽出した経路情報帯域のアドレス情報を監視し、各伝送装置に予め格納されているパスの正常時のアドレス情報と比較照合し、両者の不一致を検出したとき、該パスを中継する伝送装置にて該パスの伝送路の異常の発生を検出することを特徴とする請求項６に記載の伝送装置。
【請求項９】
パスを中継する前記伝送装置において、パス毎にパス経路が複数存在し、予備ルートのパス経路情報を有するとき、パス毎に抽出した経路情報帯域のアドレス情報を監視し、予め格納されている正常時のアドレス情報と比較照合し、両者の不一致を検出したとき、予め格納されている予備ルートのパス経路に前記多重化部のパス設定を切り替えることを特徴とする請求項８に記載の伝送装置。
【請求項１０】
前記データ挿入／選択部は、予備ルート切り戻しを指示する特定のアドレス情報を挿入して送信し、前記監視制御部は、パス毎に抽出した経路情報帯域のアドレス情報を監視し、予め設定されている、予備ルート切り戻しを指示する特定のアドレス情報と比較照合し、両者の一致を検出したとき、前記予備ルートのパス経路を通常ルートのパス経路に切り戻すことを特徴とする請求項９に記載の伝送装置。
【発明の詳細な説明】
【技術分野】
【０００１】
本発明は、パス経路状態監視方法及び伝送装置に関し、複数の伝送装置と伝送路で構成されるネットワークシステムにおいて、伝送路断等が発生したときに、各パスの状態の正常／異常だけでなく、正常なパス区間と異常なパス区間を容易に特定し、パス経路を予備ルートに自動的に切り替えることが可能なパス経路状態監視方法及び伝送装置に関する。
【背景技術】
【０００２】
従来、ネットワークシステムにおいて各パス単位の監視を行う場合、図２−１に示すように、パスの送信端の伝送装置（００１）の端末インタフェース部ＩＦａにて、データ帯域の奇数パリティビット情報を含むパス監視ビットを、データ帯域とは別に付加して送信し、パスの受信端の伝送装置（１００）でそのパス監視ビットの情報が正常値であるかどうかを判定することによりパスの異常を検出していた。
【０００３】
上述のパス監視ビットを付加したパスデータフレームの、伝送路フレーム上のアサインの具体例を図２−２に示す。同図はＳＤＨ（Synchronous Digital Hierarchy）伝送方式の多重単位であるＳＴＭ（Synchronous Transport Module）の伝送路フレーム上のアサインの例を示している。
【０００４】
同図に示すように、パス監視ビットを付加したパスデータフレームは、伝送路フレームのペイロード内にアサインされ、該パスデータフレーム内のデータ部分には、端末から送信された実データが格納され、パス監視部分には、該データ帯域の奇数パリティ演算結果のビット情報が格納される。
【０００５】
図２−１に示す従来のパス監視の場合、データ送受を行う端末Ａ，Ｂを収容する両端の伝送装置、この場合、伝送装置（００１）及び伝送装置（１００）においてパス異常が検出される。しかし、パスの途中経路の伝送装置、例えば、図中の伝送装置（００４）と伝送装置（０８０）の区間で伝送路断となり、パスが切断状態となった場合、全体のパス経路の中でどの区間（この場合、伝送装置（００１）〜伝送装置（００４）の区間）が正常で、どの区間（この場合、伝送装置（００４）以降）が異常なのかを特定することは容易ではなかった。
【０００６】
本発明に関連する先行技術文献として下記の特許文献１に、ＳＴＭ−１フレームのペイロードにＶＣ−４を収容するＳＤＨ伝送装置を介して高速端末装置または拡張ＡＴＭ装置のデータを高速伝送し、障害時、迂回により拡張セルの通信を継続し、しかも、迂回に使用する迂回バーチャルパスのＶＰＩを複数種類の障害で共用し、また、ＶＰＩ変換テーブルの切換えを指示するＯＡＭセルの通過を検出すると直ちにＶＰＩ変換テーブルを切換えることにより障害時に高速にバーチャルパスを切換え、また、迂回バーチャルパスのルート状態を常時監視する拡張セル通信ネットワーク及び伝送装置について記載されている。
【特許文献１】特開２００２−１７１２５８号公報
【発明の開示】
【発明が解決しようとする課題】
【０００７】
伝送路断等によってパスが切断状態になった場合に、ネットワーク監視装置Ｓにて迅速に対応するために、障害の影響範囲を早期に特定する必要があり、全体のパス経路のどの区間が正常でどの区間が異常なのかの情報が必要となる。異常区間を特定するためには、伝送路断が発生した伝送路を収容している伝送装置を特定し、更に、伝送路断となっている伝送路を経由するパス情報を全て洗い出す必要があったため、障害の影響範囲の特定に多くの作業時間と労力を要していた。本発明は、パスが切断状態になった場合に、全体のパス経路のうち、正常区間と異常区間とを容易に特定することができるパス経路状態監視方法及び伝送装置を提供することを目的とする。
【０００８】
また、図２−１のネットワークシステムの場合、伝送路断の区間は伝送装置（００４）と伝送装置（０８０）の間の区間であり、伝送装置（００２）−伝送装置（００３）−伝送装置（０７０）−伝送装置（０８０）を経由するパス経路を使用すれば、伝送路断のパス経路を迂回することができるが、その経路にパスを切り替える場合、図中のネットワーク監視装置Ｓから各伝送装置に対して、パス切り替え指示の情報を送って切り替える必要があり、速やかに迂回経路を形成させることが困難であった。
【０００９】
本発明は、パスが切断状態となった場合に、全体のパス経路のうち、正常区間と異常区間とを容易に特定することができ、また、各伝送装置において自動的に予備経路へパスを迂回させることが可能なパス経路状態監視方法及び伝送装置を提供することを目的とする。
【課題を解決するための手段】
【００１０】
本発明のパス経路状態監視方法は、（１）複数の伝送路と複数の伝送装置とから構成され、複数の伝送路と複数の伝送装置とを経由するパスを形成するネットワークにおいて、前記ネットワークを流れる伝送路フレーム内の各パスデータフレームは、パス単位にデータ収容帯域とは別に経路情報帯域を有し、パスを収容する両端の伝送装置にて、前記経路情報帯域に自伝送装置のアドレス情報を格納してパスデータフレームを送信し、該パスを中継する伝送装置は、パスの伝送路が正常状態のとき、受信したパスデータフレームの該経路情報帯域をそのまま中継して送信し、パスの伝送路の異常を検出したとき、該伝送路異常が検出された伝送路の方向と反対方向の伝送路の経路情報帯域に、自伝送装置のアドレス情報を挿入して送信し、前記パス収容の両端の伝送装置にて、経路情報帯域に格納されているアドレス情報を抽出し、該アドレス情報が、パス経路の対向する両端の伝送装置のアドレス情報である場合に、パスは正常状態であることを認識し、該アドレス情報が、パス経路の対向する両端の伝送装置のアドレス情報でない場合に、該アドレス情報の伝送装置までのパス経路が正常状態で、該アドレス情報の伝送装置以降のパス経路は異常状態であることを認識することを特徴とする。
【００１１】
また、（２）前記経路情報帯域に、前記伝送装置アドレス情報と共に伝送路アドレス情報を格納し、パスを中継する伝送路装置にて伝送路の異常を検出した場合、該伝送路異常が検出された伝送路の方向と反対方向の伝送路の経路情報帯域に、自伝送装置のアドレス情報と共に、該異常を検出した伝送路のアドレス情報を格納して送信し、前記パス収容の両端の伝送装置にて、経路情報帯域に格納されている伝送装置のアドレス情報及び伝送路のアドレス情報を抽出し、該アドレス情報が、パス経路の対向する両端の伝送装置のアドレス情報でない場合に、該アドレス情報の伝送装置及び伝送路までのパス経路が正常状態で、該アドレス情報の伝送装置の伝送路以降のパス経路は異常状態であることを認識することを特徴とする。
【００１２】
また、（３）前記複数の各伝送装置にて、パス毎に抽出した経路情報帯域のアドレス情報を監視し、各伝送装置に予め格納されているパスの正常時のアドレス情報と比較照合し、両者の不一致を検出したとき、該パスを中継する伝送装置にて該パスの伝送路の異常の発生を検出することを特徴とする。
【００１３】
また、（４）パスを中継する前記伝送装置において、パス毎にパス経路が複数存在し、予備ルートのパス経路情報を有するとき、パス毎に抽出した経路情報帯域のアドレス情報を監視し、予め格納されている正常時のアドレス情報と比較照合し、両者の不一致を検出したとき、予め格納されている予備ルートのパス経路にパス設定を切り替えることを特徴とする。
【００１４】
また、（５）パス毎に抽出した経路情報帯域のアドレス情報を監視し、予め設定されている、予備ルート切り戻しを指示する特定のアドレス情報と比較照合し、両者の一致を検出したとき、前記予備ルートのパス経路を通常ルートのパス経路に切り戻すことを特徴とする。
【００１５】
また、本発明の伝送装置は、（６）複数の伝送路と複数の伝送装置とから構成されるネットワークにおいて、前記伝送装置は、パス単位に各パスのデータ収容帯域とは別に経路情報帯域を、各伝送路の伝送路フレーム内にアサインする多重化部と、該経路情報帯域に自伝送装置のアドレス情報又は他の伝送装置から受信した他の伝送装置のアドレス情報の何れか一方を選択して挿入するデータ挿入／選択部と、他の伝送装置から経路情報帯域にて受信したアドレス情報を抽出するデータ抽出部と、該データ抽出部で抽出されたアドレス情報を、予め定められたパス経路の伝送路の正常時のアドレス情報と比較照合する監視制御部とを備え、パス収容の両端の伝送装置のデータ挿入／選択部は、自伝送装置のアドレス情報を前記経路情報帯域に挿入して送信し、パスを中継する伝送装置のデータ挿入／選択部は、パスの伝送路が正常状態のとき、受信したパスデータフレームの該経路情報帯域をそのまま中継して送信し、パスの伝送路の異常を検出したとき、該伝送路異常が検出された伝送路の方向と反対方向の伝送路の経路情報帯域に、自伝送装置のアドレス情報を挿入して送信し、前記パス収容の両端の伝送装置の監視制御部にて、経路情報帯域に格納されているアドレス情報が、パス経路の対向する両端の伝送装置のアドレス情報である場合に、パスは正常状態であることを認識し、該アドレス情報が、パス経路の対向する両端の伝送装置のアドレス情報でない場合に、該アドレス情報の伝送装置までのパス経路が正常状態で、該アドレス情報の伝送装置以降のパス経路は異常状態であることを認識することを特徴とする。
【００１６】
また、（７）前記データ挿入／選択部は、前記経路情報帯域に、前記伝送装置アドレス情報と共に伝送路アドレス情報を格納し、自伝送装置において伝送路の異常が検出された場合、該伝送路異常が検出された伝送路の方向と反対方向の伝送路の経路情報帯域に、自伝送装置のアドレス情報と共に、該異常を検出した伝送路のアドレス情報を格納して送信し、前記パス収容の両端の伝送装置のデータ抽出部にて、前記経路情報帯域に格納されている伝送装置のアドレス情報及び伝送路のアドレス情報を抽出し、前記パス収容の両端の伝送装置の監視制御部は、該アドレス情報が、パス経路の対向する両端の伝送装置のアドレス情報でない場合に、該アドレス情報の伝送装置及び伝送路までのパス経路が正常状態で、該アドレス情報の伝送装置の伝送路以降のパス経路は異常状態であることを認識することを特徴とする。
【００１７】
また、（８）パスを中継する前記伝送装置の監視制御部にて、パス毎に抽出した経路情報帯域のアドレス情報を監視し、各伝送装置に予め格納されているパスの正常時のアドレス情報と比較照合し、両者の不一致を検出したとき、該パスを中継する伝送装置にて該パスの伝送路の異常の発生を検出することを特徴とする。
【００１８】
また、（９）パスを中継する前記伝送装置において、パス毎にパス経路が複数存在し、予備ルートのパス経路情報を有するとき、パス毎に抽出した経路情報帯域のアドレス情報を監視し、予め格納されている正常時のアドレス情報と比較照合し、両者の不一致を検出したとき、予め格納されている予備ルートのパス経路に前記多重化部のパス設定を切り替えることを特徴とする。
【００１９】
また、（１０）前記データ挿入／選択部は、予備ルート切り戻しを指示する特定のアドレス情報を挿入して送信し、前記監視制御部は、パス毎に抽出した経路情報帯域のアドレス情報を監視し、予め設定されている、予備ルート切り戻しを指示する特定のアドレス情報と比較照合し、両者の一致を検出したとき、前記予備ルートのパス経路を通常ルートのパス経路に切り戻すことを特徴とする。
【発明の効果】
【００２０】
本発明によれば、パスの伝送路に異常が発生した場合、該異常を検出した伝送装置が自装置のアドレス情報を、該パスの伝送路の反対方向の伝送路の経路情報帯域に挿入して送り返すことにより、該送り返されたアドレス情報を基に、パス毎にパス正常区間とパス異常区間とを簡単に確認することができ、影響範囲を早期に特定することができる。また、伝送装置のアドレス情報と共に伝送路のアドレス情報を挿入して送信し、それらのアドレス情報を基にパス異常区間を判定することにより、異常が発生した伝送路の特定を容易に行うことができる。
【００２１】
また、パス毎にパスを中継する各伝送装置で、経路情報帯域に格納されたアドレス情報を、自装置に予め設定されたパス正常時のアドレス情報との比較対照を行うことにより、各伝送装置でパス異常を検出することが可能となり、障害箇所の特定が容易になる。また、パス毎に迂回路（予備ルート）が存在する場合、各伝送装置でパス異常を検出したとき、パス単位に自動的に迂回路にパス経路を切り替えることが可能となり、ネットワークシステムとしての信頼性を高めることが可能となる。
【００２２】
また、予備ルート切り戻しを指示する特定のアドレス情報を挿入して送信し、各伝送装置で該アドレス情報を認識したとき、前記予備ルートのパス経路を通常ルートのパス経路に切り替えることにより、１つの伝送装置に対する予備ルート切り戻し指示により、パスを中継する全伝送装置に、予備ルートのパス経路を通常ルートのパス経路に切り替えさせることが可能となる。
【発明を実施するための最良の形態】
【００２３】
図１に本発明の伝送装置内の機能ブロックを、図３−１〜図３−８に本発明のパス経路監視の動作例を、図４に伝送路フレームにおける本発明のパスデータフレームを、図５−１〜図５−５に本発明のパス経路監視の処理フローを、図６に本発明の伝送装置内に保持されるデータベース構造を示す。
【００２４】
本発明における伝送路フレーム上にアサインされる各パスのパスデータフレームは、図４に示すとおり、パス毎にデータ帯域とパス監視情報帯域と経路情報帯域とを有する。図１において、１は伝送路インタフェース（ＩＦ）部で、多重化部（ＴＳＷ部）２で多重されたデータを伝送路フレームに変換して伝送路に送信する。２は伝送路側の多重化部（ＴＳＷ部）で端末側の多重化部（ＬＳ−ＩＦ部）５からのデータを多重化及び分離する。５は端末側の多重化部（ＬＳ−ＩＦ部）で各端末インタフェース（ＩＦ）部６からのデータを多重化及び分離する。
【００２５】
６は端末インタフェース（ＩＦ）部で、端末からのデータを収容し、図４の伝送路上フレームにアサインされる各パスのデータフレームのデータ帯域及びパス監視ビット情報を生成する。パス監視ビット情報は対向側の伝送装置の端末インタフェース（ＩＦ）部６にてチェックされ、異常値が検出された場合は、対向側の伝送装置はパス異常として検出する。
【００２６】
３はデータ挿入／選択部で、指定された１乃至２タイムスロット分の帯域に任意のデータを挿入する機能を有し、そのタイムスロットに対して、データ挿入設定された端末側からのデータを挿入するか、或いは伝送路側から受信したタイムスロットデータを中継するかを選択する機能を有し、本発明では更に、図４の伝送路上フレームにアサインされる各パスのデータフレームの経路情報帯域を該タイムスロットに挿入する機能を有する。
【００２７】
４はデータ抽出部で、伝送路側から到来する任意のタイムスロットアドレスの受信データを抽出する機能を有し、本発明では、受信した経路情報帯域のデータの読み出しにも使用する。７はデータベース格納部で図６に示すデータ等が格納される。８は監視制御部で、伝送装置内の監視／制御を行う。９はネットワーク監視装置インタフェース（ＩＦ）部で、伝送装置に接続されるネットワーク監視装置Ｓとの通信インタフェース機能を備える。
【００２８】
本発明の動作について、前述の伝送装置を図３−１に示すように接続して構成したネットワークの場合について説明する。同図に示すように、端末Ａと端末Ｂとの間にパスが、伝送装置（００１）−伝送装置（００２）−伝送装置（００４）−伝送装置（０８０）−伝送装置（１００）のパスルートで形成されているものとする。
【００２９】
各伝送装置は、図５−１のフロー（ａ）の処理にて、各パスの経路情報帯域について設定する。パス収容の両端の伝送装置は（図３−１の伝送装置（００１），（１００）が該当）、データ挿入／選択部３にて、自身の装置アドレスを書き込み、データ挿入の選択を自装置側の送信データに設定する。他の伝送装置は（図３−１の伝送装置（００２），（００３），（００４），（０７０），（０８０）が該当）、データ挿入／選択部３にてデータ挿入の選択を中継側の送信データに設定する。これにより、図３−１の矢印で示すように経路情報が流れ、パス収容の両端の伝送装置で、パス対向側の伝送装置アドレスを受信することができ、該受信によりパス経路が正常であることかどうかを確認することが可能となる。
【００３０】
次に、図５−１のフロー（ｂ）の処理にて、定期的に伝送路インタフェース（ＩＦ）部を監視し、例えば図３−２に示すように、伝送装置（００４）と伝送装置（０８０）との区間で伝送路断が発生した場合、伝送装置（００４）では図５−１のフロー（ｃ）の処理にて伝送路断を検出し、該伝送路断を起こした伝送路のアドレス＃２から、図６のデータベースを参照して、該伝送路アドレス＃２に収容されるパス及び該伝送路アドレス＃２の反対方向の伝送路インタフェース（ＩＦ）部を検索し、対象となったパスの反対方向の伝送路アドレス＃１の経路情報帯域のタイムスロットアドレスを求める。
【００３１】
次に、図５−１のフロー（ｅ）の処理により、データ挿入／選択部３にて、上述の経路情報帯域のタイムスロットアドレスに、自信の装置アドレス（００４）を設定し、データ挿入の選択を自装置側送信データに設定する。これにより、図３−２に示すように、伝送装置（００１）へ経路情報（００４）が送信される。
【００３２】
ネットワーク管理装置Ｓは、伝送装置（００１）に対して、パスの経路情報要求指示を発行し、伝送装置（００１）は、図５−２のフロー（ａ）の処理により、データベースから該当伝送路インタフェース（ＩＦ）部の経路情報帯域のタイムスロットアドレスを検索し、（ｂ）の処理により、データ抽出部４から、検索した経路情報帯域タイムスロットアドレスの受信データを読み出し、（ｃ）の処理により、読み出し結果をネットワーク管理装置インタフェース（ＩＦ）部９からネットワーク管理装置Ｓへ送信する。この場合、受信結果（００４）を送信する。
【００３３】
これにより、ネットワーク管理装置Ｓでは、端末Ａと端末Ｂとの間のパス状態について、伝送装置（００１）から伝送装置（００４）までの区間はパス正常経路、伝送装置（００４）以降の区間がパス異常経路として特定することが可能となる。また、伝送装置（００４）と伝送装置（０８０）との区間の伝送路断が復旧した場合は、図５−１のフロー（ｆ）の処理により、データ挿入／選択部３にて、該当する経路情報帯域のタイムスロット挿入選択を中継側に戻すことで、図３−１に示したような経路情報の流れに戻る。
【００３４】
各伝送装置は、図５−３のフロー（ａ）の処理により、各パスの経路情報を定期的に監視する。図３−２において、伝送装置（００４）と伝送装置（０８０）との区間で伝送路断が発生した場合、上述した伝送路断影響区間の特定の動作により、伝送装置（００４）にて伝送路アドレス＃１の該当パスの経路情報帯域に（００４）が設定される。伝送装置（００２）では図５−３のフロー（ｂ）の処理により経路情報の変化を検出し、次に該経路情報が正常値かチェックを行う。
【００３５】
正常値か否かのチェックは、図６に示すデータベースに格納されている情報との比較により行う。この場合、（００４）を受信したことで図５−３のフロー（ｆ）の処理にて該当パスについてパス異常を検出する。また、伝送装置（００４）と伝送装置（０８０）との区間の伝送路断が復旧した場合は、伝送装置（００２）では図５−３フロー（ｃ）の処理にて、正常値（１００）を検出し、フロー（ｅ）の処理にて該当パスの異常復旧を検出する。これにより、従来、パスの両端の伝送装置でしか検出できなかったパス異常検出を、パスを中継する途中経路の伝送装置においても検出することができる。
【００３６】
次に予備ルートへの経路切り替えについて説明する。図３−４に示すように通常のパスルート（同図で実線で示すルート）とは別に、予備ルート（同図で破線で示すルート）が予め設定され、現在通常のパスルートを使用して伝送している場合、伝送装置（００２）−伝送装置（００４）−伝送装置（０８０）の経路でデータが流れ、伝送装置（００２）−伝送装置（００３）−伝送装置（０７０）−伝送装置（０８０）の経路にはデータが流れていない。また、伝送装置（００３）−伝送装置（０７０）の区間は予備ルートのパス経路が設定されている。
【００３７】
各伝送装置は、図５−１又は図５−３のフローにて各伝送路インタフェース（ＩＦ）部及び各パスの経路情報を定期的に監視する。図３−５において伝送装置（００４）と伝送装置（０８０）との区間で伝送路断が発生した場合、上述した伝送路断影響区間の特定及び中継区間でのパス異常検出により、伝送装置（０８０）は図５−３のフロー（ｂ）にて経路情報の正常値から異なる値（この場合、伝送路断に伴いａｌｌ“１”）への変化を検出し、フロー（ｃ）及びフロー（ｄ）の処理にて、受信値が正常値でなく、かつ“０”でないと判定してフロー（ｆ）にてパス異常を検出し、フロー（ｈ）の処理により予備ルートへの切り替え指示を行い、パス経路切り替え処理を行う。この場合、伝送装置（０８０）では伝送路＃２と伝送路＃３との間にパス経路を設定する。前述のフロー（ｄ）の受信値が“０”か否かの判定の処理及びパス経路切り替え処理については後に詳述する。
【００３８】
伝送装置（００２）においても伝送装置（０８０）と同様に、図５−３のフロー（ｂ）にて経路情報が正常値から異なる値（この場合００４）への変化を検出し、フロー（ｃ）及びフロー（ｄ）の処理にて、受信値が正常値でなく、かつ“０”でないと判定してフロー（ｆ）にてパス異常を検出し、フロー（ｈ）の処理により予備ルートへの切り替え指示を行い、パス経路切り替え処理を行う。この場合、伝送装置（００２）では伝送路＃１と伝送路＃３との間にパス経路を設定する。
【００３９】
これにより図３−６に示す予備系ルートが形成され、かつパス経路情報もパス収容の両端の伝送装置で送信した伝送装置アドレス値が、パス収容の両端伝送装置で受信され、パス経路が正常であることの確認が行われ、自動的にパスの迂回路を形成することができる。
【００４０】
また、図３−７に示すように、伝送装置（００４）と伝送装置（０８０）との区間の伝送路断が復旧したときは、ネットワーク管理装置Ｓから伝送装置（００２）に対して切り戻し指示を発行する。切り戻し指示を受信した伝送装置（００２）は、図５−５のフロー（ａ）の処理により切り戻し処理を行う。
【００４１】
図５−４にパス経路切り替え及び切り戻しの処理フローを示す。同図において、フロー（ａ）にてデータベースより当該パスが複数ルート使用可能か否かをチェックし、複数ルート使用可能である場合、フロー（ｃ）の処理にて、データベースに定義されている予備系ルート用タイムススロット情報を基に、図１の多重化部（ＴＳＷ部）２にて予備系ルートへのタイムスイッチ（ＴＳＷ）設定を行う。
【００４２】
また、予備ルートから通常ルートにパスを切り戻す場合、データベースから検索した当該パスの予備ルート用経路情報帯域に、データ挿入／選択部３で“０”を書き込み設定する。次にフロー（ｅ）の処理により、データベースに定義されている通常ルート用タイムスロット情報を基に、多重化部（ＴＳＷ部）２にて通常系ルートのタイムスイッチ（ＴＳＷ）設定を行う。図３−７の動作例の場合、伝送装置（００２）では伝送路＃１と伝送路＃２との間にパス経路を設定する。
【００４３】
伝送装置（０８０）は、図５−３のフロー（ｄ）にて、予備系ルートからの経路情報の変化（００１→０００）を検出し、フロー（ｇ）の処理にて、データベースに定義されている通常ルートに切り戻し処理（図５−４参照）を行う。データベースに定義されている通常ルート用タイムスロット情報を基に、多重化部（ＴＳＷ部）２にて通常系ルートのタイムスイッチ（ＴＳＷ）設定を行う。この場合、伝送装置（０８０）は伝送路＃１と伝送路＃２との間にパス経路を設定する。
【００４４】
これにより、図３−８に示すようにパス経路の切り戻しが行われる。なお、切り戻しを行う場合、ネットワーク管理装置Ｓから切り戻し指示を発行する対象は、切り戻し動作を行う伝送装置のうち、１台のみに発行すればよく、他の伝送装置では自動的に切り戻し処理が行われる。
【実施例１】
【００４５】
以下、本発明による伝送システムのパス経路状態確認の動作について、具体例を挙げて説明する。第１の実施例として、パス正常区間と異常区間を特定する動作について説明する。前述の図３−１のネットワーク構成において、図中の端末ＩＦ部＃ａと端末ＩＦ部＃ｂとの間のパス（パス番号＃１）について、伝送装置（００１）は図８−４のデータベース、伝送装置（００２）は図８−１のデータベース、伝送装置（００４）は図８−２のデータベース、伝送装置（０８０）は図８−３のデータベースを保持しているものとする。
【００４６】
各伝送装置は図５−１のフロー（ａ）にて、各パスについて経路情報帯域の設定を行う。パス収容末端の伝送装置に当たる伝送装置（００１）は、パス番号１の伝送路ＩＦ＃１の経路情報帯域（タイムスロットアドレス１１１及び１１２）について挿入／選択部にて自装置のアドレス上位４ビットの“０”をタイムスロットアドレス１１１に、下位８ビットの“０ｘ０１”をタイムスロットアドレス１１２に設定し、挿入データの選択を自装置側にする。同様に伝送装置（１００）側でも、自装置のアドレス上位４ビットの“０”をタイムスロットアドレス１１１に、下位８ビットの“０ｘ６４”をタイムスロットアドレス１１２に設定する。なお、０ｘ６４は１６進法の６４を表し、これは１０進法の１００に相当する。
【００４７】
パス中継区間となる伝送装置（００２）は、図８−１のデータベースよりパス番号＃１の伝送路ＩＦ＃１と＃２の経路情報帯域（タイムスロットアドレス１１１と１１２）に、挿入／選択部にてデータ挿入の選択を中継側に設定する。パス中継区間の伝送装置（００４）、（０８０）でも同様に設定する。
【００４８】
これにより、伝送装置（００１）でのパス番号＃１の受信経路情報として、タイムスロットアドレス１１１（装置アドレスの上位４ビット情報が入っている）で０ｘ００が、タイムスロットアドレス１１２（装置アドレス下位８ビット情報が入っている）から０ｘ６４が受信され、その二つの値から伝送装置アドレス情報＝１００を受信したことの認識が可能となる。また、伝送装置（１００）での受信経路情報として、タイムスロットアドレス１１１で０ｘ００が、タイムスロットアドレス１１２で０ｘ０１が受信されるので、同様に伝送装置アドレス情報＝００１を受信したことの認識が可能となる。
【００４９】
ネットワーク管理装置は、伝送装置（００１）に対して、パス番号＃１の経路情報読み出し指示を発行し、伝送装置（００１）は図５−２のフロー動作にて、伝送路方路＃１のタイムスロットアドレス１１１，１１２の受信データ、０ｘ００，０ｘ６４を読み出し、その結果をネットワーク管理装置へ応答する。
【００５０】
同様に伝送装置（１００）に対してパス番号＃１の経路情報読み出し指示を発行し、伝送装置（１００）は図５−２のフロー動作にて、伝送路アドレス＃１のタイムスロットアドレス１１１，１１２の受信データ、０ｘ００，０ｘ０１を読み出し、その読み出し結果をネットワーク管理装置へ応答する。これにより、パス番号＃１について端末ＩＦ部＃ａと端末ＩＦ部＃ｂのＥｎｄ−Ｅｎｄ間で、パス経路が正常であることを確認することができる。
【００５１】
次に図３−２に示すように、伝送装置（００４）と伝送装置（０８０）との区間で伝送路断が発生した場合の動作シーケンス図を図７−１−１及び図７−１−２に示す。図７−１−１に示す正常状態から図７−１−２に示すように伝送路断が発生した場合、伝送装置（００４）にて図５−１（ｂ）の処理により伝送路ＩＦ部＃２での伝送路断を検出し、図５−１（ｄ）の処理により、図８−２のデータベースから伝送路ＩＦ部＃２を使用するパス番号を検索し、更に該当パス番号＃１の伝送路ＩＦ部＃２と反対方向の伝送路ＩＦ部＃１の経路情報帯域のタイムスロット１１１，１１２を検索する。
【００５２】
図５−１（ｅ）の処理により、データ挿入／選択部にて伝送路ＩＦ部＃１の経路情報帯域のタイムスロットアドレス１１１に、自装置アドレス００４の上位４ビット値＝０を設定し、該帯域のタイムスロットアドレス１１２に自装置アドレス００４の下位８ビット値＝０ｘ０４を設定し、データ挿入の選択を自装置側に切り替える。
【００５３】
伝送装置（００１）の受信経路情報帯域のタイムスロット１１１で０ｘ００が、１１２で０ｘ０４が受信されることになり、伝送装置（００１）は、伝送装置アドレス情報００４を受信したことを認識する。次に図７−１−３に示すように、ネットワーク管理装置から伝送装置（００１）に対して、パス番号００１の経路情報読み出し指示を発行する。伝送装置（００１）は図５−２のフローにてパス番号００１の経路情報読み出し、その結果０ｘ００，０ｘ０４を応答する。
【００５４】
ネットワーク管理装置は、上記の情報を基に、パス番号＝００１の影響確認結果として、伝送装置（００１）〜伝送装置（００４）までは正常パス経路区間、伝送装置（００４）より以降が異常パス経路区間であることを簡単に特定することが可能となる。
【００５５】
次に、伝送装置（００４）と伝送装置（０８０）との区間の伝送路が正常になった場合、伝送装置（００４）は図５−１フロー（ｆ）の処理にて、先程、経路情報帯域のタイムスロット１１１，１１２に、自装置側のデータ挿入にした選択設定を、中継側のデータ挿入の選択設定に戻す。その結果、図７−１−４に示すような通常状態に戻る。
【実施例２】
【００５６】
次に、本発明の実施例２について説明する。第２の実施例は、経路情報帯域に入れる情報として、実施例１と同様に伝送装置アドレスを設定するほかに、伝送路アドレスを設定して送信するものである。動作シーケンスは実施例１と同様の動作シーケンスとなる。図７−２−１に示す通常時は、パス収容末端の伝送装置に当たる伝送装置（００１）は、パス番号＃１の伝送路ＩＦ部＃１の経路情報帯域（タイムスロットアドレス１１１，１１２）に、挿入／選択部にて自装置のアドレス上位４ビットの“０”をタイムスロット１１１に設定し、下位８ビットの“０１”をタイムスロット１１２に設定し、伝送路アドレス＃１の値＝０をタイムスロットアドレス１１１のビット５〜７に設定し、データ挿入の選択を自装置側に設定する。
【００５７】
同様に伝送装置（１００）側でも、パス番号＃１の伝送路ＩＦ部＃１の経路情報帯域（タイムスロットアドレス１１１，１１２）に、挿入／選択部にて自装置のアドレスを上位４ビット “０”をタイムスロット１１１に設定し、下位８ビットの“１００”をタイムスロット１１２に設定し、伝送路アドレス＃１の値＝０をタイムスロットアドレス１１１のビット５〜７に設定し、データ挿入の選択を自装置側に設定する。
【００５８】
パス中継区間の伝送装置（００２）は、図８−１のデータベースよりパス番号＃１の伝送路１Ｆ部＃１，＃２の経路情報帯域（タイムスロットアドレス１１１，１１２）に、挿入／選択部にてデータ挿入を中継側に設定する。パス中継区間の他の伝送装置（００４）、（０８０）でも同様に設定する。
【００５９】
これにより、伝送装置（００１）ではパス番号＃１の受信経路情報として、タイムスロットアドレス１１１（装置アドレス上位４ビット情報が入っている）で０ｘ００を、タイムスロットアドレス１１２（装置アドレス下位８ビット情報が入っている）で０ｘ６４を受信し、その二つの値から装置アドレス情報＝１００と、伝送路方路情報＝方路＃１を受信したことが認識可能となる。また、伝送装置（１００）での受信経路情報として、タイムスロットアドレス１１１で０ｘ００を、タイムスロットアドレス１１２で０ｘ０１を受信し、同様に伝送装置アドレス情報＝００１，伝送路方路情報＝方路＃１を受信したことが認識される。
【００６０】
ネットワーク管理装置から伝送装置（００１）及び伝送装置（１００）に対して、パス番号＃１の経路情報帯域の読み出し指示を行い、伝送装置（００１）及び伝送装置（１００）は、図５−２のフロー動作にて受信結果を読み出して応答することで、端末ＩＦ部＃ａと端末ＩＦ部＃ｂとの間のＥｎｄ−Ｅｎｄ間で、パス経路が正常であることを確認することができる。
図７−２−１の正常状態から図７−２−２に示すように伝送路断が発生した場合、伝送装置（００４）にて図５−１（ｂ）の処理により伝送路ＩＦ部＃２での伝送路断を検出し、図５−１（ｄ）の処理により、図８−２のデータベースから伝送路ＩＦ部＃２を使用するパス番号を検索し、更に該当パス番号＃１の伝送路ＩＦ部＃２と反対方向の伝送路ＩＦ部＃１の経路情報帯域のタイムスロット１１１，１１２を検索する。
【００６１】
図５−１（ｅ）の処理により、データ挿入／選択部にて伝送路ＩＦ部＃１の経路情報帯域のタイムスロットアドレス１１１に、自装置アドレス００４の上位４ビット値＝０を設定し、帯域タイムスロットアドレス１１２に自装置アドレス００４の下位８ビット値＝０ｘ０４を設定し、伝送路方路ＩＦ＃１の情報値＝０をタイムスロットアドレス１１１のビット６〜４に設定し、データ挿入の選択を自装置側に切り替える。伝送装置（００１）は、受信経路情報帯域のタイムスロット１１１で０ｘ００を、タイムスロット１１２で０ｘ０４を受信することになり、伝送装置アドレス情報００４と、伝送路アドレス情報＝伝送路方路＃１を受信したことを認識する。
【００６２】
次に図７−２−３に示すように、ネットワーク管理装置から伝送装置（００１）に対して、パス番号００１の経路情報読み出し指示を発行する。伝送装置（００１）は図５−２のフローにてパス番号００１の経路情報読み出し、その結果０ｘ００，０ｘ０４を応答する。ネットワーク管理装置は、該情報を基に、パス番号＝００１の影響確認結果として、伝送装置（００１）〜伝送装置（００４）の伝送路アドレス＃１までは正常パス経路区間、伝送装置（００４）の伝送路アドレス＃１より以降が異常パス経路区間であることを簡単に特定することができる。
【００６３】
次に、伝送装置（００４）と伝送装置（０８０）との区間の伝送路が正常になった場合、伝送装置（００４）は図５−１フロー（ｆ）の処理にて、先程、経路情報帯域のタイムスロット１１１，１１２に、自装置側のデータ挿入の選択にした設定を、中継側のデータ挿入の選択設定に戻す。その結果、図７−２−４に示す通常状態に戻る。
【実施例３】
【００６４】
次に、本発明の実施例３について説明する。実施例３は、パスを中継する伝送装置にてパス異常（ＡＬＭ）を検出する動作例である。各伝送装置は、図５−３のフロー（ａ）により、各パスについて受信経路情報帯域のデータ内容を定期的に監視を行う。図７−３−１に示す正常状態から図７−３−２に示すように、伝送装置（００４）と伝送装置（０８０）との間で伝送路断が発生した場合、実施例１の動作により、伝送装置（００４）にて伝送路断が検出され、図５−１（ｅ）の処理により、経路情報タイムスロットアドレス１１１に０ｘ００が，タイムスロットアドレス１１２に０ｘ０４が設定される。
【００６５】
各伝送装置は、経路情報を定期的に監視を行い、この場合、伝送装置（００２）では経路情報タイムスロットアドレス１１１の受信値＝０ｘ００で、タイムスロットアドレス１１２の受信値＝０ｘ０４を受信する。なお、図７−３−１等のシーケンスチャートにおいて、右上向きの矢印及び左下向きの矢印は、定期的に経路情報を監視していることを示している。
【００６６】
次に、図５−３（ｂ）の処理フローにて経路情報の変化を検出し、図５−３（ｃ）の処理にて、経路情報が正常値（０ｘ００６４（伝送装置アドレス１００）、伝送路アドレス＃１）であるかどうかをチェックし、この場合、経路情報が正常値（０ｘ００６４）でなく、それ以外の値（０ｘ０００４）を受信したことで、図５−３（ｆ）の処理にて、パス番号＃１についてパス異常（ＡＬＭ）を検出する。これにより、パスの中継区間の伝送装置においても、パス異常（ＡＬＭ）を検出することが可能となる。
【００６７】
次に、伝送装置（００４）と伝送装置（０８０）との区間の伝送路が正常になった場合、伝送装置（００４）は、図５−１フロー（ｇ）の処理にて、先程、経路情報帯域のタイムスロット１１１，１１２に、自装置側にしたデータ挿入選択の設定を、中継側のデータ挿入選択の設定に戻す。
【００６８】
その結果、伝送装置（００２）でパス番号＃１の経路情報帯域のタイムスロットアドレス１１１の受信値が０ｘ００、タイムスロット１１２の受信値が０ｘ６４となり、図５−３（ｃ）の処理にて、パス番号＃１について、正常値（０ｘ００６４（伝送装置アドレス１００）、伝送路アドレス＃１）かどうかをチェックし、正常値であることで、図５−３（ｅ）処理にて、パス番号＃１のパス異常（ＡＬＭ）を復旧することが可能となる。
【実施例４】
【００６９】
次に、本発明の実施例４について説明する。実施例４は、予備経路に切り替える動作例である。各伝送装置は、図５−３のフロー（ａ）の処理により各パスについて受信経路情報帯域のデータ内容を定期的に監視する。そして図７−４−１に示す正常状態から図７−４−２に示すように伝送装置（００４）と伝送装置（０８０）との区間で伝送路断が発生した場合、伝送装置（００４）は実施例１の動作により伝送路アドレス＃２のパス番号＃１の経路情報帯域のタイムスロットアドレス１１１，１１２に、それぞれ０ｘ００，０ｘ０４の伝送装置アドレスを設定する。
【００７０】
伝送装置（０８０）は、伝送路方路＃１のパス番号＃１の経路情報帯域のタイムスロットアドレス１１１，１１２の受信データが、正常値（０ｘ０００１）から０ｘｆｆｆｆ（伝送路断のため）への変化を検出し、図５−３のフロー（ｆ）の処理によりパス番号＃１のパス異常（ＡＬＭ）を検出した後、フロー（ｈ）の処理により予備ルートへの切り替え処理を行う。
【００７１】
図５−４の処理フロー（ａ）にて、図８−３のデータベースより、伝送路＃２に収容される該当パスを検索し、この場合はパス番号＃１が該当し、そのパス情報内の複数ルートの有無をチェックし、複数ルートが存在する場合、ルート切り替え処理を行う。
【００７２】
この場合、複数ルート有りであるため、図５−４（ｃ）の処理にて図８−３のデータベースに定義されている予備系ルート用の伝送路アドレス及びタイムスロット（ＴＳ）情報を基に、図１の多重化部（ＴＳＷ部）２にて予備系ルートに対するタイムスイッチ（ＴＳＷ）設定を行う。この場合は、図７−４−３に示すように、伝送路＃３と伝送路＃２との間に予備ルートのパス経路を設定する。
【００７３】
伝送装置（００２）では伝送路アドレス＃２のパス番号＃１の経路情報帯域のタイムスロットアドレス１１１，１１２の受信データが、正常値（０ｘ００６４）から０ｘ０００４へ変化したのを検出し、図５−３のフロー（ｆ）の処理により、パス番号＃１についてパス異常（ＡＬＭ）を検出した後、フロー（ｈ）の処理により予備ルートへの切り替え処理を行う。
【００７４】
伝送装置（００２）は、図５−４の処理フロー（ａ）にて図８−１のデータベースより、パス番号＃１のパス情報を検索し、そのパス情報内の複数ルートの有無をチェックし、複数ルートが存在する場合、ルート切り替え処理を行う。
【００７５】
この場合、複数ルート有りであるため、図５−４のフロー（ｃ）の処理にて、データベースに定義されている予備系ルートの伝送路アドレス及びタイムスロット（ＴＳ）情報を基に、図１の多重化部（ＴＳＷ部）２にて予備系ルートのタイムスイッチ（ＴＳＷ）設定を行う。この場合は、図７−４−５のように伝送路＃１と伝送路＃３との間のパス経路を設定する。これにより、予備ルートへの切り替えが自動的に行われる。
【００７６】
次に、伝送装置（００４）と伝送装置（０８０）との区間の伝送路が正常になった場合、ネットワーク管理装置から伝送装置（００２）に対して切り戻し指示を発行する。切り戻し指示を受信した伝送装置（００２）は、図５−５のフローで通常ルート切り戻し処理を行う。図５−４の詳細フローの処理（ａ）により、パス番号＃１のパス情報を検索し、処理（ｄ）により挿入／選択部３にて、予備ルートの経路情報帯域のタイムスロットアドレス１１１，１１２に、“０”設定し、データ挿入の選択を自装置側に切り替える。
【００７７】
次に処理（ｅ）により、通常ルートへパス経路を切り替える。伝送装置（００２）は、図８−１のデータベースに定義されている通常ルート用タイムスロット情報を基に、図１の多重化部（ＴＳＷ部）２にて通常ルートのタイムスイッチ（ＴＳＷ）の設定を行う。この場合は、図７−４−５に示すように、伝送路＃１と伝送路＃２との間のパス経路を設定する。
【００７８】
次に、伝送装置（０８０）は、図７−４−６に示すように、予備ルートから経路情報帯域のタイムスロットアドレス１１１，１１２の受信結果が共に“０”であるとして受信変化を検出する。次に、図５−３のフロー（ｇ）の処理により、通常ルートへの切り替え処理を行う。
【００７９】
伝送装置（０８０）は、図５−４の詳細フローの処理（ａ）により、パス番号＃１のパス情報を検索し、フロー（ｄ）の処理により予備ルートの経路情報帯域のタイムスロットアドレス１１１，１１２に、挿入／選択部３にて“０”を設定し、データ挿入の選択を自装置側に切り替える。
【００８０】
次に、伝送装置（０８０）は、図５−４の詳細フロー（ｅ）の処理により、通常ルートへパス経路を切り替える。図８−３のデータベースに定義されている通常ルート用タイムスロット情報を基に、図１の多重化部（ＴＳＷ部）２にて、通常ルートのタイムスイッチ（ＴＳＷ）の設定を行う。この場合は伝送路＃１と伝送路＃２との間のパス経路を設定する。
【００８１】
これにより、予備ルートから通常ルートへの切り戻しの際に、予備ルートが複数の伝送装置を経由して形成されている場合でも、ネットワーク管理装置から切り戻し指示の発行対象は１つの伝送装置のみに対して行えばよく、そのほかの伝送装置は、受信した経路情報帯域に“０”が格納されていることを認識して通常ルートへ切り戻すため、全ての伝送装置に対して切り戻し指示を行わなくとも、各伝送装置で自動的に切り戻し処理が行われる。
【図面の簡単な説明】
【００８２】
【図１】本発明の伝送装置内の機能ブロックを示す図である。
【図２−１】従来のパス監視方法の説明図である。
【図２−２】伝送路フレームにおける従来のパスデータフレームを示す図である。
【図３−１】本発明におけるパス監視の通常動作の説明図である。
【図３−２】本発明における伝送路断発生時の動作の説明図である。
【図３−３】本発明におけるパス異常検出時の動作の説明図である。
【図３−４】本発明におけるパスの通常ルートと予備ルートの説明図である。
【図３−５】本発明における通常ルートの伝送路断発生時の動作の説明図である。
【図３−６】本発明におけるパス経路切り替えによる予備ルート使用時の動作の説明図である。
【図３−７】本発明におけるパス経路を通常ルートへ切り戻す動作の説明図である。
【図３−８】本発明におけるパス経路の通常ルートへの切り戻し完了時の説明図である。
【図４】本発明における伝送路フレームのパスデータフレームを示す図である。
【図５−１】本発明における伝送装置での監視処理フローを示す図である。
【図５−２】本発明における経路情報読み出し及び影響経路区間確認の処理フローを示す図である。
【図５−３】本発明における通常ルートと予備ルートとの切り替え処理フローを示す図である。
【図５−４】本発明における通常ルートと予備ルートとの切り替えの設定処理フローを示す図である。
【図５−５】本発明におけるパス経路の切り戻し処理フローを示す図である。
【図６】本発明におけるデータベースの構造を示す図である。
【図７−１−１】本発明の実施例１における正常時の動作の説明図である。
【図７−１−２】本発明の実施例１における伝送路断発生時の動作の説明図である。
【図７−１−３】本発明の実施例１における影響経路区間の確認の動作の説明図である。
【図７−１−４】本発明の実施例１における伝送路断復旧時の動作の説明図である。
【図７−２−１】本発明の実施例２における正常時の動作の説明図である。
【図７−２−２】本発明の実施例２における伝送路断発生時の動作の説明図である。
【図７−２−３】本発明の実施例２における影響経路区間の確認の動作の説明図である。
【図７−２−４】本発明の実施例２における伝送路断復旧時の動作の説明図である。
【図７−３−１】本発明の実施例３における正常時の動作の説明図である。
【図７−３−２】本発明の実施例３における伝送路断発生時の動作の説明図である。
【図７−３−３】本発明の実施例３における伝送路断復旧時の動作の説明図である。
【図７−４−１】本発明の実施例４における正常時の動作の説明図である。
【図７−４−２】本発明の実施例４における伝送路断発生時の動作の説明図である。
【図７−４−３】本発明の実施例４における伝送装置（０８０）での予備ルート切り替えの動作の説明図である。
【図７−４−４】本発明の実施例４における伝送装置（００２）での予備ルート切り替えの動作の説明図である。
【図７−４−５】本発明の実施例４における伝送装置（００２）での予備ルート切り戻しの動作の説明図である。
【図７−４−６】本発明の実施例４における伝送装置（０８０）での予備ルート切り戻しの動作の説明図である。
【図８−１】本発明における伝送装置（００２）のデータベースの格納データを示す図である。
【図８−２】本発明における伝送装置（００４）のデータベースの格納データを示す図である。
【図８−３】本発明における伝送装置（０８０）のデータベースの格納データを示す図である。
【図８−４】本発明における伝送装置（００１）のデータベースの格納データを示す図である。
【図９】本発明の実施例における伝送フレームのパスデータフレームを示す図である。
【符号の説明】
【００８３】
１  伝送路インタフェース（ＩＦ）部
２  伝送路側の多重化部（タイムスイッチ（ＴＳＷ）部）
３  データ挿入／選択部
４  データ抽出部
５  端末側の多重化部（ＬＳ−ＩＦ部）
６  端末インタフェース（ＩＦ）部
７  データベース格納部
８  監視制御部
９  ネットワーク監視装置インタフェース（ＩＦ）部
【図１】
2006222718.tif 000003
【図２−１】
2006222718.tif 000004
【図２−２】
2006222718.tif 000005
【図３−１】
2006222718.tif 000006
【図３−２】
2006222718.tif 000007
【図３−３】
2006222718.tif 000008
【図３−４】
2006222718.tif 000009
【図３−５】
2006222718.tif 000010
【図３−６】
2006222718.tif 000011
【図３−７】
2006222718.tif 000012
【図３−８】
2006222718.tif 000013
【図４】
2006222718.tif 000014
【図５−１】
2006222718.tif 000015
【図５−２】
2006222718.tif 000016
【図５−３】
2006222718.tif 000017
【図５−４】
2006222718.tif 000018
【図５−５】
2006222718.tif 000019
【図６】
2006222718.tif 000020
【図７−１−１】
2006222718.tif 000021
【図７−１−２】
2006222718.tif 000022
【図７−１−３】
2006222718.tif 000023
【図７−１−４】
2006222718.tif 000024
【図７−２−１】
2006222718.tif 000025
【図７−２−２】
2006222718.tif 000026
【図７−２−３】
2006222718.tif 000027
【図７−２−４】
2006222718.tif 000028
【図７−３−１】
2006222718.tif 000029
【図７−３−２】
2006222718.tif 000030
【図７−３−３】
2006222718.tif 000031
【図７−４−１】
2006222718.tif 000032
【図７−４−２】
2006222718.tif 000033
【図７−４−３】
2006222718.tif 000034
【図７−４−４】
2006222718.tif 000035
【図７−４−５】
2006222718.tif 000036
【図７−４−６】
2006222718.tif 000037
【図８−１】
2006222718.tif 000038
【図８−２】
2006222718.tif 000039
【図８−３】
2006222718.tif 000040
【図８−４】
2006222718.tif 000041
【図９】
2006222718.tif 000042